(57)【要約】      （修正有）【課題】柔らかで安全であり、かつ、床面上等で好ましく転動するようにした使用上の面白みを備えた布ボールであって、ゴムボールを使用する前段階の乳幼児に適したものを提供する。【解決手段】多数の布片１ａ、１ｂ等を相互に縫合して略凸多面体状の被覆体３ａ等を形成し、該被覆体３ａ等内に布団綿を充填して布ボールを構成する。前記被覆体は、好ましくは略立方八面体状をなすが、例えば略正十二面体状ないし略正二十面体状をなすものであってもよい。【選択図】図１
0003162932.tif 000002
【実用新案登録請求の範囲】
【請求項１】
多数の布片を相互に縫合して略凸多面体状の被覆体を形成し、該被覆体内に布団綿を充填してなることを特徴とする布ボール。
【請求項２】
前記被覆体は、略立方八面体状をなすことを特徴とする請求項１に記載の布ボール。
【考案の詳細な説明】
【技術分野】
【０００１】
本考案は、布ボールに関するものであり、特に、ゴムボールを使用する前段階の乳幼児等に適した遊具たる布ボールに係るものである。
【背景技術】
【０００２】
布ボールに類する遊具として、「お手玉」が従来より知られている。お手玉は、子供が片手で把持するに適した大きさの布袋内に多数の小豆、米、ジュズダマ等の小球を充填してなる遊具である。
【０００３】
実用新案登録第３１０７２８１号公報は、弾性体チップ等の充填材を袋体内に充填し、該袋体を化粧外袋により被覆してなる握り手玉を開示している。
【先行技術文献】
【特許文献】
【０００４】
【特許文献１】実用新案登録第３１０７２８１号公報
【考案の概要】
【考案が解決しようとする課題】
【０００５】
しかるに、上述のお手玉は、布袋内に多数の小豆、米、ジュズダマ等の小球を充填してなるものであるため、硬くて重く、乳幼児には扱い難いと共に、転動せず、使用上の面白みに欠けるという問題がある。
【０００６】
また、実用新案登録第３１０７２８１号公報に開示されている握り手玉は、弾性体チップ等の充填材を袋体内に充填し、該袋体を化粧外袋により被覆してなるものであるため、前記お手玉と同様に、硬くて乳幼児には危険であると共に、転動せず、使用上の面白みに欠けるという問題がある。
【０００７】
すなわち、上記従来のお手玉と握り手玉は、いずれも、ゴムボールを使用する前段階の乳幼児に適した遊具ではない。
【０００８】
本考案は、上記従来のお手玉と握り手玉における上述の如き問題を解消し、柔らかで安全であり、かつ、床面上等で好ましく転動するようにした使用上の面白みを備えた布ボールであって、ゴムボールを使用する前段階の乳幼児に適したものを提供しようとしてなされたものである。
【課題を解決するための手段】
【０００９】
上記課題を解決するために、本考案は、下記の布ボールを提供するものである。
【００１０】
（１）多数の布片を相互に縫合して略凸多面体状の被覆体を形成し、該被覆体内に布団綿を充填してなることを特徴とする布ボール（請求項１）。
【００１１】
（２）前記被覆体は、略立方八面体状をなす（請求項２）。
【考案の効果】
【００１２】
［請求項１の考案］
請求項１の考案による布ボールは、多数の布片を相互に縫合して略凸多面体状の被覆体を形成し、該被覆体内に布団綿を充填してなるものであるため、下記の如き優れた効果を発揮する。
【００１３】
（ａ）布ボールは、全体が柔らかであって軽いため、ゴムボールを使用する前段階の乳幼児が遊具として安全に室内で使用することができる。
【００１４】
（ｂ）布ボールは略凸多面体状の被覆体内に布団綿を充填してなるものであるため、該布ボールは突出した多数の柔らかな角部（頂点）を有し、該角部は乳幼児が容易に手で把持し得るものである。
【００１５】
（ｃ）布ボールは、略凸多面体状をなすため、床面上等で転動し易いが、遠くまで転動することはない。
【００１６】
（ｄ）布ボールは、使用者が把持する動作、投げる動作、蹴る動作、受け取る動作等、種々の動作を行うことができる。すなわち、布ボールを用いた種々の遊びが乳幼児の発達に寄与する可能性がある。
【００１７】
（ｅ）布ボールは、被覆体内に布団綿を充填してなるものであるため、汚れたときには、随時洗濯することができる。
【００１８】
（ｆ）更に、布ボールは、高齢者等のリハビリ用に利用することができると共に、年齢を問わず、家族の遊具としても使用することができる。
【００１９】
［請求項２の考案］
被覆体は、比較的球形に近い略立方八面体状をなすものであるため床面上等で更に転動し易いが、完全な球形ではないため遠くまで転動することがないという一層好ましい効果を発揮する。
【図面の簡単な説明】
【００２０】
【図１】図１は、略立方八面体状の被覆体を備えた布ボールを示す斜視図である。
【図２】図２は、略正十二面体状の被覆体を備えた布ボールを示す斜視図である。
【図３】図３は、略正二十面体状の被覆体を備えた布ボールを示す斜視図である。
【図４】図４は、略立方八面体状の被覆体の展開図である。
【図５】図５は、略正十二面体状の被覆体の展開図である。
【図６】図６は、略正二十面体状の被覆体の展開図である。
【図７】図７は、布ボールの一部を示す断面図である。
【考案を実施するための形態】
【００２１】
本考案による布ボールは、多数の布片１、１・・・を相互に縫合して略凸多面体状の被覆体３を形成し、該被覆体３内に布団綿５を充填してなるものである。
【００２２】
布片１は、好ましくは綿１００％の布を所定の形状に切断してなるものとし、適宜の色彩ないし模様を備えさせる。布片１は、多角形状をなし、各辺の長さは一例として約１０ｃｍ＋縫代とするが、各辺の長さはこれに限定されるものではない。
【００２３】
布団綿５は、一例として、ポリエステル製のものを使用する。
【００２４】
被覆体３は、略凸多面体状をなすものであれば、いかなるものであっても差し支えないが、好ましくは略立方八面体状をなすものとする。
【００２５】
図１は、略立方八面体状の被覆体３ａを備えた布ボールを示す。この事例における被覆体３ａは、８枚の正三角形状の布片１ａと、６枚の正方形状の布片１ｂとを相互に縫合することにより、一例として図４の展開図に示す形状となし、これを更に縫合してなるものである。略立方八面体状の被覆体３ａは、２４本の辺７と１２個の頂点９とを有する。
【００２６】
図２は、略正十二面体状の被覆体３ｂを備えた布ボールを示す。この事例における被覆体３ｂは、１２枚の正五角形状の布片１ｃを相互に縫合することにより、一例として図５の展開図に示す形状となし、これを更に縫合してなるものである。略正十二面体状の被覆体３ｂは、３０本の辺７と２０個の頂点９とを有する。
【００２７】
図３は、略正二十面体状の被覆体３ｃを備えた布ボールを示す。この事例における被覆体３ｃは、２０枚の正三角形状の布片１ｄを相互に縫合することにより、一例として図６の展開図に示す形状となし、これを更に縫合してなるものである。略正二十面体状の被覆体３ｃは、３０本の辺７と１２個の頂点９とを有する。
【００２８】
被覆体３の頂点９は、乳幼児においても摘み易いように突出している。
【符号の説明】
【００２９】
１  布片
１ａ  正三角形状の布片
１ｂ  正方形状の布片
１ｃ  正五角形状の布片
１ｄ  正三角形状の布片
３  被覆体
３ａ  略立方八面体状の被覆体
３ｂ  略正十二面体状の被覆体
３ｃ  略正二十面体状の被覆体
５  布団綿
７  辺
９  頂点
【図１】
0003162932.tif 000003
【図２】
0003162932.tif 000004
【図３】
0003162932.tif 000005
【図４】
0003162932.tif 000006
【図５】
0003162932.tif 000007
【図６】
0003162932.tif 000008
【図７】
0003162932.tif 000009